【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
通信受信器内で同一チャネル干渉を低減するフィルタであって、
時空間フィルタ・ウェイトと多重チャネル・インパルス応答（ＣＩＲ）とを統合的に推定することによって、通信信号から分割されたｎ個の信号部にフィルタをかける多重チャネル時空間フィルタ回路と、
該多重チャネル時空間フィルタ回路から多重チャネル信号を受信し、該時空間フィルタ回路からのチャネル・インパルス応答推定値によって提供されるフィルタ応答を有する、多重チャネル整合フィルタ回路と
を備えている、フィルタ。
【請求項２】
前記多重チャネル時空間フィルタ回路に接続され、前記通信信号を奇数および偶数サンプリングされたｎ個の実信号部および虚信号部に分割する仮想アンテナ回路をさらに含む、請求項１に記載のフィルタ。
【請求項３】
前記多重チャネル時空間フィルタ回路は、各信号部に個別の時空間フィルタ・ウェイトを乗算する少なくとも１つの乗算器を含む、請求項１に記載のフィルタ。
【請求項４】
前記少なくとも１つの乗算器は、並列に接続された一対の該乗算器を含み、前記多重チャネル時空間フィルタ回路は、該一対の乗算器のうちの１つの入力部に接続されている、各信号部用の個別の遅延回路をさらに含む、請求項３に記載のフィルタ。
【請求項５】
前記通信信号は、複数のシンボルを含み、前記乗算器および遅延回路の各々は、該複数のシンボルに関連した約１シンボルの遅延を有する、請求項４に記載のフィルタ。
【請求項６】
各チャネルに対して、前記乗算器の出力を合計する個別の加算回路をさらに含む、請求項３に記載のフィルタ。
【請求項７】
トレーニング・シーケンス・シンボルおよびタイミング不確実性データを受信し、前記多重チャネル時空間フィルタ回路用の時空間フィルタ・ウェイトと、前記多重チャネル整合フィルタ回路用の多重チャネル・インパルス応答とを生成する、統合型最適フィルタ・ウェイトおよびチャネル推定器をさらに含む、請求項１に記載のフィルタ。
【請求項８】
前記多重チャネル整合フィルタ回路の下流に等化回路をさらに含む、請求項１に記載のフィルタ。
【請求項９】
通信受信器内で同一チャネル干渉を低減するフィルタ・システムであって、
統合型時空間フィルタであって、
時空間フィルタ・ウェイトと多重チャネル・インパルス応答（ＣＩＲ）とを統合的に推定することによって、通信信号から分割されたｎ個の信号部にフィルタをかける多重チャネル時空間フィルタ回路と、
該多重チャネル時空間フィルタ回路から多重チャネル信号を受信し、該時空間フィルタ回路からのチャネル・インパルス応答推定値によって提供されるフィルタ応答を有する、多重チャネル整合フィルタ回路と
を含む、統合型時空間フィルタと、
干渉レベルが所定の閾値に満たない場合に動作する代替フィルタであって、整合フィルタと、相互相関回路と、該ｎ個の信号部を該整合フィルタおよび相互相関回路へ切り替える切り替え機構とを含む、代替フィルタと
を備えている、フィルタ・システム。
【請求項１０】
前記多重チャネル時空間フィルタ回路に接続され、前記通信信号を奇数および偶数サンプリングされたｎ個の実信号部および虚信号部に分割する仮想アンテナ回路をさらに含む、請求項９に記載のフィルタ・システム。
【請求項１１】
前記多重チャネル時空間フィルタ回路は、各信号部に個別の時空間フィルタ・ウェイトを乗算する少なくとも１つの乗算器を含む、請求項９に記載のフィルタ・システム。
【請求項１２】
前記少なくとも１つの乗算器は、並列に接続された一対の該乗算器を含み、前記多重チャネル時空間フィルタ回路は、該一対の乗算器のうちの１つの入力部に接続されている、各信号部用の個別の遅延回路をさらに含む、請求項１１に記載のフィルタ・システム。
【請求項１３】
前記通信信号は、複数のシンボルを含み、前記乗算器および遅延回路は、該複数のシンボルに関連した約１シンボルの遅延を各々有する、請求項１２に記載のフィルタ・システム。
【請求項１４】
各チャネルに対して、前記乗算器の出力を合計する個別の加算回路をさらに含む、請求項１１に記載のフィルタ・システム。
【請求項１５】
トレーニング・シーケンス・シンボルおよびタイミング不確実性データを受信し、前記多重チャネル時空間フィルタ回路用の時空間フィルタ・ウェイトと、前記多重チャネル整合フィルタ回路用の多重チャネル・インパルス応答とを生成する、統合型最適フィルタ・ウェイトおよびチャネル推定器をさらに含む、請求項９に記載のフィルタ・システム。
【請求項１６】
前記多重チャネル整合フィルタ回路の下流に等化回路をさらに含む、請求項９に記載のフィルタ・システム。
【請求項１７】
通信受信器内で同一チャネル干渉を低減する方法であって、
通信信号をｎ個の信号部に分割することと、
多重チャネル時空間フィルタ回路内で該ｎ個の信号部にフィルタをかけ、時空間フィルタ・ウェイトおよび多重チャネルのチャネル・インパルス応答（ＣＩＲ）を統合的に推定することと、
該時空間フィルタ回路からのチャネル・インパルス応答推定値によって提供されるフィルタ応答を有している多重チャネル整合フィルタ回路内で、該時空間フィルタ回路から多重チャネル信号を受信することと
を包含する、方法。
【請求項１８】
分割することは、前記通信信号を偶数サンプルと奇数サンプルとにサンプリングし、該偶数サンプルおよび奇数サンプルを実信号部および虚信号部に分けることを含む、請求項１７に記載の方法。
【請求項１９】
前記整合フィルタの出力を合計し、所望のレベルへとリスケールすることをさらに含む、請求項１７に記載の方法。
【請求項２０】
所望のレベルへのリスケーリング後、単一チャネル信号を等化することをさらに含む、請求項１９に記載の方法。
【請求項２１】
干渉レベルが閾値に満たない場合には、代替フィルタ内で前記ｎ個の信号部にフィルタをかける事をさらに含む、請求項１７に記載の方法。
【請求項２２】
時空間フィルタ・ウェイトに基づいて各信号部を乗算することをさらに含む、請求項１７に記載の方法。
【請求項２３】
乗算後、各チャネルに対して前記信号部を合計することをさらに含む、請求項２２に記載の方法。
【請求項２４】
無線通信デバイスであって、
無線送信器および無線受信器を備えており、
該無線受信器は、
通信受信器内で同一チャネル干渉を低減するフィルタを含んでおり、該フィルタは、
時空間フィルタ・ウェイトと多重チャネル・インパルス応答（ＣＩＲ）とを統合的に推定することによって、通信信号から分割されたｎ個の信号部にフィルタをかける多重チャネル時空間フィルタ回路と、
該多重チャネル時空間フィルタ回路から多重チャネル信号を受信し、該時空間フィルタ回路からのチャネル・インパルス応答推定値によって提供されるフィルタ応答を有する、多重チャネル整合フィルタ回路と
を含んでいる、無線通信デバイス。
【請求項２５】
前記フィルタは、前記多重チャネル時空間フィルタ回路に接続され、前記通信信号を奇数および偶数サンプリングされたｎ個の実信号部および虚信号部に分割する仮想アンテナ回路をさらに含む、請求項２４に記載の無線通信デバイス。
【請求項２６】
前記多重チャネル時空間フィルタ回路は、各信号部に個別の時空間フィルタ・ウェイトを乗算する少なくとも１つの乗算器を含む、請求項２４に記載の無線通信デバイス。
【請求項２７】
前記少なくとも１つの乗算器は、並列に接続された一対の該乗算器を含み、前記多重チャネル時空間フィルタ回路は、該一対の乗算器のうちの１つの入力部に接続されている、各信号部用の個別の遅延回路をさらに含む、請求項２６に記載の無線通信デバイス。
【請求項２８】
前記多重チャネル時空間フィルタ回路は、コレスキー分解および固有値分解に基づいて時空間フィルタ・ウェイトとＣＩＲとを統合的に推定する、請求項１に記載のフィルタ。
【請求項２９】
前記多重チャネル時空間フィルタ回路は、コレスキー分解および固有値分解に基づいて時空間フィルタ・ウェイトとＣＩＲとを統合的に推定する、請求項９に記載のフィルタ・システム。
【請求項３０】
前記多重チャネル時空間フィルタ・ウェイトとＣＩＲとを統合的に推定することは、コレスキー分解および固有値分解に基づいて時空間フィルタ・ウェイトとＣＩＲとを統合的に推定することを含む、請求項１７に記載の方法。
【請求項３１】
前記多重チャネル時空間フィルタ回路は、コレスキー分解および固有値分解に基づいて時空間フィルタ・ウェイトとＣＩＲとを統合的に推定する、請求項２４に記載の無線通信デバイス。
【請求項３２】
前記多重チャネル時空間フィルタ回路は、特異値分解（ＳＶＲ）に基づいて時空間フィルタ・ウェイトとＣＩＲとを統合的に推定する、請求項１に記載のフィルタ。
【請求項３３】
前記多重チャネル時空間フィルタ回路は、特異値分解（ＳＶＲ）に基づいて時空間フィルタ・ウェイトとＣＩＲとを統合的に推定する、請求項９に記載のフィルタ・システム。
【請求項３４】
前記多重チャネル時空間フィルタ・ウェイトとＣＩＲとを統合的に推定することは、特異値分解（ＳＶＲ）に基づいて時空間フィルタ・ウェイトとＣＩＲとを統合的に推定することを含む、請求項１７に記載の方法。
【請求項３５】
前記多重チャネル時空間フィルタ回路は、特異値分解（ＳＶＲ）に基づいて時空間フィルタ・ウェイトとＣＩＲとを統合的に推定する、請求項２４に記載の無線通信デバイス。
【請求項３６】
前記多重チャネル時空間フィルタ回路は、ＱＲ分解および固有値分解に基づいて時空間フィルタ・ウェイトとＣＩＲとを統合的に推定する、請求項１に記載のフィルタ。
【請求項３７】
前記多重チャネル時空間フィルタ回路は、ＱＲ分解および固有値分解に基づいて時空間フィルタ・ウェイトとＣＩＲとを統合的に推定する、請求項９に記載のフィルタ・システム。
【請求項３８】
前記多重チャネル時空間フィルタ・ウェイトとＣＩＲとを統合的に推定することは、ＱＲ分解および固有値分解に基づいて時空間フィルタ・ウェイトとＣＩＲとを統合的に推定することを含む、請求項１７に記載の方法。
【請求項３９】
前記多重チャネル時空間フィルタ回路は、ＱＲ分解および固有値分解に基づいて時空間フィルタ・ウェイトとＣＩＲとを統合的に推定する、請求項２４に記載の無線通信デバイス。